(57)【要約】【課題】本発明は、管理区域の負圧環境維持システムに関し、管理区域の負圧を維持し、作業の安全性をより高めるようにしたシステムを構築することが課題である。【解決手段】管理対象の管理区域２を密封してカバーするカバー部材３と、外部４と前記管理区域２とに接続されてこの両者の空気の差圧を測定する差圧計５と、前記カバー部材の内部に配設され粉塵量を計測する粉塵量計測器６と、前記カバー部材の内部に配設され外部に空気を排出する負圧集塵機７と、前記負圧集塵機によってカバー部材の内部から外部に排出される風量を計測する風量計測器８と、前記差圧計と粉塵量計測器と負圧集塵機と風量計測器とが電気的に接続される制御装置９と、該制御装置に電気的に接続される警報装置１０とからなる管理区域の負圧環境維持システム１とする。【選択図】図１
2008119555.tif 000002
【特許請求の範囲】
【請求項１】
管理対象の管理区域を密封してカバーするカバー部材と、外部と前記管理区域とに接続されてこの両者の空気の差圧を測定する差圧計と、前記カバー部材の内部に配設され粉塵量を計測する粉塵量計測器と、前記カバー部材の内部に配設され外部に空気を排出する負圧集塵機と、前記負圧集塵機によってカバー部材の内部から外部に排出される風量を計測する風量計測器と、前記差圧計と粉塵量計測器と負圧集塵機と風量計測器とが電気的に接続される制御装置と、該制御装置に電気的に接続される警報装置とからなること、
を特徴とする管理区域の負圧環境維持システム。
【請求項２】
制御装置と警報装置との間には、ネットワークが介在されていること、
を特徴とする請求項１に記載の管理区域の負圧環境維持システム。
【請求項３】
制御装置には、差圧計、粉塵量計測器、負圧集塵機、風量計測器の各々から送信されたデジタルデータをリアルタイムに集計し、前記デジタルデータの全部若しくは一部をモニターを介してグラフ化すること及び前記デジタルデータの集計結果の全部若しくは一部を印刷機を介して帳票出力することを設定したプログラムが組み込まれていること、
を特徴とする請求項１または２に記載の管理区域の負圧環境維持システム。
【発明の詳細な説明】
【技術分野】
【０００１】
本発明は、例えば、限られた空間内のダイオキシン類を外部に漏出させることなく排除するための、管理区域の負圧環境維持システムに関するものである。
【背景技術】
【０００２】
従来、ダイオキシン類を有する清掃工場の解体、又は、アスベストの撤去に伴う解体の作業において、対象となる場所や部屋を管理区域として区画し、当該管理区域を負圧にして、外部に前記ダイオキシンやアスベストが漏れ出さないようにして、撤去作業を行っている（特許文献１参照）。
【特許文献１】特開２００４−５７９９８号公報
【発明の開示】
【発明が解決しようとする課題】
【０００３】
しかし、従来の上記撤去作業においては、ビニールシート等のカバー部材で前記区画を囲み、ダイオキシン類等で汚染された壁面などを粉砕または剥離して、負圧集塵機により回収処理しているが、前記ビニールシートが破れたり前記負圧集塵機が故障したりした場合に、迅速な対応が不可能であって区画内の負圧が維持できず、前記ダイオキシンやアスベスト等の有害物質が外部に漏れてしまうというおそれがある。これらの有害物質の撤去作業において、区画内の負圧を維持し、負圧空気流の流量の把握などの情報を集中させそれを管理し、トータル的に安全性を確保するシステムが求められている。本発明に係る管理区域の負圧環境維持システムは、このような課題を解決するために提案されたものである。
【課題を解決するための手段】
【０００４】
本発明に係る管理区域の負圧環境維持システムの上記課題を解決して目的を達成するための要旨は、管理対象の管理区域を密封してカバーするカバー部材と、外部と前記管理区域とに接続されてこの両者の空気の差圧を測定する差圧計と、前記カバー部材の内部に配設され粉塵量を計測する粉塵量計測器と、前記カバー部材の内部に配設され外部に空気を排出する負圧集塵機と、前記負圧集塵機によってカバー部材の内部から外部に排出される風量を計測する風量計測器と、前記差圧計と粉塵量計測器と負圧集塵機と風量計測器とが電気的に接続される制御装置と、該制御装置に電気的に接続される警報装置とからなることである。
【０００５】
前記制御装置と警報装置との間には、ネットワークが介在されていること、；
前記制御装置には、差圧計、粉塵量計測器、負圧集塵機、風量計測器の各々から送信されたデジタルデータをリアルタイムに集計し、前記デジタルデータの全部若しくは一部をモニターを介してグラフ化すること及び前記デジタルデータの集計結果の全部若しくは一部を印刷機を介して帳票出力することを設定したプログラムが組み込まれていること、；
を含むものである。
【発明の効果】
【０００６】
本発明の管理区域の負圧環境維持システムによれば、管理区域内の気圧を設定された範囲の負圧に維持するようにコントロールすることが可能となり、仮に、所定の差圧に成らない場合には、直ちに警報が発せられて、外部への漏れ出しを防ぎ周囲の環境を守ると共に、作業員の安全性が確保されるものである。
【０００７】
制御装置により、複数の負圧集塵機を必要なものだけ効率的に運転するので、電気代の節約となる。また、ネットワークにより制御装置に送られるデータが、現場から離れた施工管理会社や施主にも送られて、リアルタイムにデータを共有することができる。更に、制御装置のプログラムにより、自動的にデータの帳票出力がなされて、前記管理区域の負圧維持管理が容易になる。
【発明を実施するための最良の形態】
【０００８】
本発明に係る管理区域の負圧環境維持システム１は、図１に示すように、管理対象の管理区域２を密封してカバーする、例えば、塩化ビニールシート等のカバー部材３と、外部４と前記管理区域２とに接続されてこの両者２，４の空気の差圧を測定する差圧計５と、前記カバー部材の内部に配設され粉塵量を計測する粉塵量計測器６と、前記カバー部材の内部に配設され外部に空気を排出する負圧集塵機７と、前記負圧集塵機７によってカバー部材３の内部から外部に排出される風量を計測する風量計測器８と、前記差圧計５と粉塵量計測器６と負圧集塵機７と風量計測器８とが電気的に接続される制御装置９と、該制御装置９に電気的に接続される警報装置１０とからなる。
【０００９】
前記差圧計５は、複数のデジタル差圧計でもって、管理区域２と外部４との差圧を、例えば、１分おきに連続計測する。モニター１２等に表示する場合には、直近１０分の平均値とする。管理値としては、例えば、作業標準値が２０ｐａ、一次管理値が８ｐａ、２次管理値が５ｐａとする。この差圧計５により、所定の差圧を下回った場合には、前記制御装置９を介して警報装置１０により、警報が発せられる。
【００１０】
前記粉塵量計測器６は、前記管理区域２内に、例えば、１個〜５個、実施例では３個程度を配置する。管理区域２内の粉塵量（ｍｇ／リットル）をデジタルで計測して、ダイオキシン類濃度（ｐｇ−ＴＥＱ／ｍ３）に変換する。また、負圧集塵機７は、複数の集塵機を用意して、前記制御装置９で所要の差圧が得られるようにコントロールする。各負圧集塵機７の稼働状況も記録するようにする。この負圧集塵機７の自動若しくは手動のモード切替を、前記制御装置９を介して行う。
【００１１】
前記制御装置９と警報装置１０との間には、例えば、インターネット若しくは社内ＬＡＮ等のネットワーク１１が介在されている場合がある。これにより、作業現場で前記負圧集塵機７等を制御できるばかりでなく、遠隔地にある事務所等から制御装置９を介して前記負圧集塵機７等の遠隔制御が可能となる。
【００１２】
前記制御装置９には、差圧計５、粉塵量計測器６、負圧集塵機７、風量計測器８の各々から送信されたデジタルデータをリアルタイムに集計し、前記デジタルデータの全部若しくは一部をモニター１２を介してグラフ化すること、及び、前記デジタルデータの集計結果の全部若しくは一部を印刷機（図示せず）を介して帳票出力することを設定したプログラムが組み込まれている。これにより、現場でも遠隔地でも、前記差圧計５、粉塵量計測器６等のデータをリアルタイムで把握することができる。
【００１３】
前記警報装置１０は、例えば、パトライト、警報音声、携帯電話へのメール等の警報を発するものである。
【００１４】
このようにしてなる負圧環境維持システム１によれば、図１に示すように、管理区域２を塩化ビニールシート等のカバー部材３で囲った後、制御装置９に、差圧計５，粉塵量計測器６，負圧集塵機７及び風量計測器８を各々電気的に接続する。更に、前記制御装置９をネットワーク１１に接続する。次に、前記負圧集塵機７を駆動させて、作業標準時に差圧が２０ｐａとなるように、また、夜間時には１０ｐａになるように制御する。
【００１５】
前記差圧値の管理の一例としては、図２に示すように、作業用フローに基づいて進める。即ち、１次管理値を８ｐａ、２次管理値を５ｐａとする。そして、管理値レベルＮがＮ＝１となった場合で、１次管理値＜差圧値＜２次管理値  （負圧（−）なので、数値の大きい方が小さい）である場合に、管理区域２内と、現場事務所に警報装置１０で警報を出す。負圧集塵機７を１次管理値確保のために、制御装置９を介して所要の数量を稼働させる。その後、例えば、３０分後に、標準稼働数量に戻す。
【００１６】
更に、Ｎ＝２の場合で、２次管理値＜差圧値＜０となった場合には、管理区域２内にパトライトで警報し、現場事務所及び担当者の携帯電話にメール等で警報を出す。管理区域２では、作業者の作業を中止する。負圧集塵機７を１次管理値確保のために、制御装置９を介して所要の数量を稼働させる。その後、例えば、３０分後に、標準稼働数量に戻す。
【００１７】
なお、前記差圧値が、前記１次管理値や２次管理値を頻繁に超えてしまう場合には、担当者が前記負圧集塵機７の標準稼働数量の見直しをする。この後、開口、搬出口等の状況を確認し、敷地境界の粉塵量（ＳＰＭ値）を確認して、異常がなければ作業を再開する。
【００１８】
このようにして、管理区域２内の負圧を制御装置９により確実に維持して、ダイオキシン等が外部に漏れ出すことがないようにすることができる。また、差圧値や粉塵量、風量をリアルタイムで把握することができて、トータル的な管理が容易となる。
【図面の簡単な説明】
【００１９】
【図１】本発明に係る管理区域の負圧環境維持システム１の概略全体構成図である。
【図２】同本発明の管理区域の負圧環境維持システム１の作業中のフローを示す説明図である。
【図３】従来例に係る負圧維持システム１５の概略全体構成図である。
【符号の説明】
【００２０】
１          管理区域の負圧環境維持システム、
２          管理区域、
３          カバー部材、
４          外部、
５          差圧計、 
６          粉塵量計測器、
７          負圧集塵機、 
８          風量計測器、
９          制御装置、
１０        警報装置、
１１        ネットワーク、
１２        モニター。
【図１】
2008119555.tif 000003
【図２】
2008119555.tif 000004
【図３】
2008119555.tif 000005